【手続補正書】
【提出日】平成28年3月24日(2016.3.24)
【手続補正１】
【補正対象書類名】特許請求の範囲
【補正対象項目名】全文
【補正方法】変更
【補正の内容】
【特許請求の範囲】
【請求項１】
イベントに参加するユーザーに対しイベント関連コンテンツを提供するためのシステムにおいて、
−  イベントを撮影するためのカメラセット（１１０、１１１、１１２）と、
−  前記カメラからビデオストリームを受信するように適応された中央ユニット（１２０）と、
−  イベントサイトにある複数のユーザー端末（１４０）と、
−  前記中央ユニットと前記複数のユーザー端末間の通信のためのローカル無線ネットワーク（１３０）と、
−  前記中央ユニットによりアクセス可能であるイベント関連編集コンテンツ（６２０）のソース（１６０）と、
−  前記ローカル無線ネットワーク（１３０）を介して前記中央ユニット（１２０）により提供されるイベント関連編集コンテンツおよびビデオストリームを、専用ユーザーインターフェース（８００）を通して選択的に表示するために前記ユーザー端末（１４０）内に具備されている手段と、
− 受信したイベントチケット（２００）または付随するデータから、前記中央ユニットとの通信を確立するための接続情報を導出するために前記ユーザー端末（１４０）内に具備されている手段と、
−  前記中央ユニット（１２０）に具備されるコンテンツコントロール手段（４００、４１０、４３０）であって、
・時間の一関数として、また、イベントに関連するトリガリングイベントに応答して、接続されたユーザー端末（１４０）によるコンテンツおよびサービスへのアクセス性を定義するためのタイムラインプログラム情報を生成および記憶するための、タイムライン生成および管理手段と、
・実時間およびトリガリングイベントの発生の一関数として、タイムラインプログラムの実行に応答して、選択されたコンテンツおよびサービスへのアクセス性を、接続されたユーザー端末に提供するための手段とを備えた、コンテンツコントロール手段（４００、４１０、４３０）と、
を含むシステム。
【請求項２】
アクセス性を提供するための前記手段がさらに、ユーザー端末位置特定情報に応答して動作することを特徴とする、請求項１に記載のシステム。
【請求項３】
イベント関連編集コンテンツを生成するためのエディタプラットフォーム（３００、３１０、３２０）をさらに含み、前記エディタプラットフォームが第一の編集モジュール（３００）を含んでおり、該第一の編集モジュール（３００）が、
ユーザープロフィール情報に基づく検索基準を使用できる、検索のための検索手段と、
ローカル無線ネットワークを介してユーザー端末（１４０）から受信した命令に応答して、プロフィールアクセス性を含めたユーザープロフィール情報を変更するための手段とを含んでいる、請求項１または２に記載のシステム。
【請求項４】
ローカル無線ネットワーク（１３０）を通して伝送されたユーザー端末（１４０）からのアクションに応答して編集コンテンツ（６２０）を変更するための手段をさらに含む、請求項１〜３のいずれか一つに記載のシステム。
【請求項５】
前記ユーザー端末（１４０）が、中央ユニット（１２０）に接続された他のユーザー端末（１４０）を表わすユーザーアイコン（８３１）を表示するための手段、
対応するユーザーに関するまたは対応するユーザー由来の異なる情報要素を選択的に表示できるようにするグラフィカルユーザーインターフェース（８００）をさらに含み、
所与のユーザーに関する前記情報要素が、ユーザー端末位置特定データ、所与のユーザーが関与しているメッセージスレッド、または所与のユーザー端末のカメラにより生成されるビデオストリームを含む、請求項１〜４のいずれか一つに記載のシステム。
【請求項６】
ユーザー端末（１４０）が捕捉した情報を前記中央ユニット（１２０）に伝送するための手段をさらに含み、こうして前記情報を前記中央ユニットおよび前記ローカル無線ネットワーク（１３０）を介して他のユーザー端末へと転送できるようになっており、前記捕捉された情報がビデオストリームを含む、請求項１〜５のいずれか一つに記載のシステム。
【請求項７】
前記カメラ（１１０、１１１、１１２）の位置特定情報を決定するため、および前記ユーザー端末（１４０）上に前記位置特定情報を選択的に表示するためのコンテキストエンジンをさらに含む、請求項１〜６のいずれか一つに記載のシステム。
【請求項８】
イベントに参加するユーザーに対しイベント関連コンテンツを提供するための中央ユニット（１２０）を含む、イベントブロードキャスト用のコントロールルーム機器において、前記中央ユニットが、
−  コントロールルーム機器に接続されたカメラ（１１０、１１１、１１２）からのビデオストリームを受信するための手段と、
−  前記中央ユニットとイベントサイトにある複数のユーザー端末（１４０）との間の通信のために、ローカル無線ネットワーク（１３０）に接続するための手段と、
−  イベント関連コンテンツを前記中央ユニットに提供するように適応されたイベント関連編集コンテンツ（１６０、３００、３１０、３２０、３３０）のソース（１６０）にアクセスするための手段と、
−  ビデオストリームおよびイベント関連コンテンツを含む組合せ型コンテンツを、前記ローカル無線ネットワーク（１３０）を介して選択的にブロードキャストするための手段と、
−  ローカル無線ネットワーク（１３０）に接続されたユーザー端末（１４０）からのユーザー関連情報要素を、前記ローカル無線ネットワーク（１３０）を介して受信するための手段と、
−  前記中央ユニット（１２０）に具備されるコンテンツコントロール手段（４００、４１０、４３０）であって、
・時間の一関数として、また、トリガリングイベントまたはイベントに関連するプログラミングされたアクションに応答して、接続されたユーザー端末（１４０）によるコンテンツおよびサービスへのアクセス性を定義するためのタイムライン情報を生成および記憶するための、タイムライン生成および管理手段と、
・タイムライン情報、実時間、ならびに、外部イベントおよびプログラミングされたアクションに応答して、選択されたコンテンツおよびサービスへのアクセス性を、接続されたユーザー端末に提供するための手段とを備えた、コンテンツコントロール手段（４００、４  １０、４３０）と、
を含む、コントロールルーム機器。
【請求項９】
ネットワーク通信能力を有するユーザー端末（１４０）において、
−  所与のイベントについてのイベント関連コンテンツのサーバー（１６０）に対する接続のため、イベントチケット情報（２００）から接続情報を導出するための手段であって、
前記サーバーは請求項８に記載のコントロールルーム機器に接続されている、接続情報を導出するための手段と、
−  イベントにおいて展開されるローカル無線ネットワーク（１３０）を介した前記サーバーへの接続のための手段と、
−  前記コントロールルーム機器の中央ユニット（１２０）から前記ローカル無線ネットワークを介して受信されたイベント関連コンテンツを表示するための手段（８００）と、
− 前記中央ユニット（１２０）のコンテンツコントロール手段（４００、４１０、４３０）によってアクセス可能にされたコンテンツおよびサービスに選択的にアクセスするための手段と、
を含む、ユーザー端末。
【請求項１０】
サーバーにユーザー端末位置特定を伝送するための手段であって、それに基づいて、前記コンテンツおよびサービスに対する前記ユーザー端末によるアクセス性をコントロールする目的の、サーバーにユーザー端末位置特定を伝送するための手段を備える、請求項９に記載のユーザー端末。
【請求項１１】
ローカル無線ネットワーク（１３０）に接続された他のユーザー端末（１４０）を表わすユーザーアイコン（８３１）を表示するための手段（８００）と、
ユーザーアイコンに対応するユーザーについて、またはユーザーからの異なる情報要素を選択的に表示することができるようにするグラフィカルユーザーインターフェース（８００）をさらに含み、
前記情報要素が、ユーザー端末位置特定データ、ユーザーが関与しているメッセージスレッド、または前記ローカル無線ネットワークを介して受信されたユーザー端末のカメラにより生成されるビデオストリームを含む、請求項９および１０のいずれか一つに記載のユーザー端末。
【請求項１２】
イベントに参加するユーザーに対してイベント関連コンテンツを提供するための方法において、
−  イベント関連コンテンツのソース（１６０、６２０）を準備するステップと、
−  イベントサイトにおいて、前記ソースに接続され、イベント中複数のユーザー端末によりアクセス可能である、ローカル無線ネットワーク（１３０）を具備するステップと、
− 受信したイベントチケット（２００）または付随するデータから導出される情報接続に基づいて、前記ユーザー端末と前記無線ネットワークとの間の通信を確立するステップと、
−  イベント中、少なくとも一つのカメラ（１１０、１１１、１１２）でイベントを撮影するステップと、
−  イベント関連コンテンツ、および前記単数または複数のカメラにより提供されるビデオストリームを、ユーザー端末（１４０）に対して選択的に提供するステップと、
− 時間の一関数として、およびイベントに関連するトリガリングイベントに応答して、コンテンツおよびサービスに対する接続されたユーザー端末（１４０）によるアクセス性を定義するためのタイムラインプログラム情報を提供するステップと、
− 実時間およびトリガリングイベントの発生の一関数として、タイムラインプログラムの実行に応答して、選択されたコンテンツおよびサービスへのアクセス性を、接続されたユーザー端末に提供するステップと、
を含む方法。